(57)【要約】【課題】操作性及び安全性を高めたタンクローリの荷卸しシステムを提供する。【解決手段】荷卸しホース（２１）の先端に読取手段（２５、４０）を設け、読取手段（２５、４０）は車載コンピュータ（１５）に接続され、貯油タンク（２）の給油口（４）にタンクデータを記憶した発信タグ（６）を設け、車載コンピュータ（１５）は積荷データと発信タグ（６）から受信したタンクデータとの一致をもって荷卸し可としており、タンクデータは荷卸しホース（２１）と給油口（４）とが適正に接続された場合のみ読取手段（２５、４０）により読み取り可能である。【選択図】図２
2010105708.tif 000002
【特許請求の範囲】
【請求項１】
タンクローリに設けられた複数のハッチと地下タンクの給油口とを荷卸しホースで接続して、ハッチ内の油を地下タンクへ荷卸しする荷卸しシステムにおいて、前記荷卸しホースの給油口側の円周方向全域に読取手段を設け、給油口にはデータを発信する機能を有するタグを配置し、該タグから発信されるデータを読取手段が受信するのは、荷卸しホースの端部と給油口とが適正に接続された状態で読取手段が位置する範囲に限定されていることを特徴とする荷卸しシステム。
【請求項２】
タンクローリに設けられた複数のハッチと地下タンクの給油口とを荷卸しホースで接続して、ハッチ内の油を地下タンクへ荷卸しする荷卸しシステムにおいて、前記荷卸しホースの給油口側の円周方向全域に読取手段を設け、該読取手段は荷卸しホースのアース線を介してタンクローリに設けられた制御装置に接続可能であり、給油口にはデータを発信する機能を有するタグを配置し、該タグから発信されるデータを読取手段が受信するのは、荷卸しホースの端部と給油口とが適正に接続されている状態で読取手段が位置する範囲に限定されていることを特徴とする荷卸しシステム。
【請求項３】
タグは地下タンクの給油口に埋め込まれている請求項１または請求項２の何れかの荷卸しシステム。
【請求項４】
前記タグは電源と、データを発信する発信器と、スイッチとを含んでおり、荷卸しホースの端部と給油口とが適正に接続されている場合にのみスイッチが閉鎖して、発信器からデータを発信する機能を有している請求項２の荷卸しシステム。
【発明の詳細な説明】
【技術分野】
【０００１】
本発明は、タンクローリのハッチ内の油を、荷卸しホースを介して給油所の貯油タンクへ荷卸しするシステムであって、当該荷卸しをタンクローリにおける車載コンピュータで制御するタンクローリの荷卸しシステムに関する。
【背景技術】
【０００２】
タンクローリに搭載されているタンクは複数のハッチに区画され、給油所の注文に応じて、所定種類の燃料油が各ハッチへ荷積みされ、タンクローリにより給油所まで配送される。
そして荷積みされた油は、給油所において、例えば地下に埋設された各貯油タンクへ荷卸しされる。
【０００３】
貯油タンクに荷卸しするべき燃料油は複数種類あり、貯油タンク内の油と異なる種類の油を荷卸してしまう事故（いわゆる「コンタミ」）が発生すると、当該貯油タンク内の燃料油は使用できなくなり、経済的に大きな損失を生じる。
また、「コンタミ」が生じたことを知らずに、異なる油種が荷卸しされた貯油タンク内の燃料油を自動車へ給油してしまうと、各種エンジントラブルを発生し、その結果、交通事故や自動車火災という重大な事故を惹起してしまう恐れが存在する。
【０００４】
貯油タンク内の油と異なる種類の油を荷卸してしまう事故（いわゆる「コンタミ」）を防止するため、貯油タンクの給油口及び荷卸しホースの端部にそれぞれ無線タグを設け、データ読取器で無線タグのデータを読み取り、両者が同一種類の油のデータを有する場合にのみ、貯油タンクへの供給を行なう技術が提案されている（特許文献１参照）。
また、タンクローリ側のホースに液種判断用のセンサを設け、貯油タンクの給油口側に受け部材を設け、該受け部材は貯油タンクの液種により取り付け高さが異なり、ホースと給油口との接続時に、センサが受け部材の高さに対応して油種を判別する技術も提案されている（特許文献２）。
さらに、貯油タンクのデータと、タンクローリのハッチに荷積みされた油のデータとを記憶し、係るデータに基づいて制御装置により荷卸しを行なう技術も提案されている（特許文献３）。
【０００５】
ここで、上述した従来技術では、貯油タンク内にタンクローリのハッチ内の油を荷卸ししている際に、貯油タンクの給油口と荷卸しホースとの接続（例えばラッチ係合）が適正でなかったり（不十分であったり）、或いは、給油口と荷卸しホースとの接続が給油当初は適正であったものが、何らかの理由により不適正な状態（不十分な状態）になってしまうと、当該接続個所から荷卸しされている燃料油が漏出してしまう恐れがある。或いは、給油口と荷卸しホースとが外れてしまう恐れがある。
燃料油の漏出や、給油口と荷卸しホースとが外れてしまうことは、非常に危険な事態を招く。それに加えて、給油所周辺の環境に大きなダメージを与えてしまうので、確実に防止する必要がある。
しかし、上述した従来技術では、貯油タンクの給油口と荷卸しホースとの接続が適正でない場合や、或いは、何らかの理由により給油口と荷卸しホースとの接続が不適正な状態に移行してしまった場合には、何等対処することが出来なかった。
【特許文献１】特開２００７−８４１３５号
【特許文献２】特開２００８−１８９３４６号
【特許文献３】特開２０００−１２８２９９号
【発明の開示】
【発明が解決しようとする課題】
【０００６】
本発明は上記に鑑みてなされたもので、貯油タンク内の油と異なる種類の油を荷卸してしまう事故を防止すると共に、貯油タンクの給油口と荷卸しホースとの接続が適正でないことに起因する各種不都合を防止することが出来るタンクローリの荷卸しシステムの提供を目的としている。
【課題を解決するための手段】
【０００７】
本発明のタンクローリの荷卸しシステムは、タンクローリ（８）に設けられた複数のハッチ（１０）と地下タンク（２：貯油タンク）の給油口（４）とを荷卸しホース（２１）で接続して、ハッチ（１０）内の油を地下タンク（２）へ荷卸しする荷卸しシステムにおいて、前記荷卸しホース（２１）の給油口（４）側の円周方向全域に読取手段（例えば、円環状のアンテナ２５及び送受信器２６）を設け、給油口（４）にはデータ（地下タンク２内の油種等のタンクデータ）を発信する機能を有するタグ（６：パッシブタイプの発信タグ）を配置し、該タグ（６）から発信されるデータを読取手段（２５）が受信するのは、荷卸しホース（２１）の端部と給油口（４）とが適正に接続された状態で読取手段（２５）が位置する範囲に限定されていることを特徴としている（請求項１）。
【０００８】
ここで、タグ（６）は、電磁波（磁束を含む）或いは電波を受信すると、当該電磁波或いは電波を駆動電力に変換し、当該変換された電力をタンクデータ発信のエネルギーとする「パッシブタイプ」であり、いわゆる「ＩＣタグ」があるのが好ましい。
そして、前記円周方向全域に設けられた読取手段（アンテナ２５）から、タグ（６）に対して、電磁波或いは電波が放射されることが好ましい。その場合、電磁波或いは電波が放射される範囲が限定されていることが好ましい。そして、磁束（Φ）が読取手段（２５）からタグ（６）に放射されるのが特に好ましい。
【０００９】
読取手段（２５）から電磁波（例えば、磁束Φ）或いは電波を受信すると、タグ（６）からは極めて指向性が強い状態でデータが発信され、タグ（６）から発信されるデータの通信距離或いは到達距離が極めて短い距離であるのが好ましい。
或いは、タグ（６）と読取手段（２５）との相対位置関係が限定された範囲内である場合にのみ、タグ（６）から発信されたデータを読取手段（２５）が受信可能であるのが好ましい。
【００１０】
本発明において、タグ（６、６Ａ）は地下タンク（２）の給油口（４）に埋め込まれているのが好ましい（請求項３）。
例えば、給油口（４）のホース（２１）側端部に凹部を形成し、該凹部にタグ（６）が収容され、且つ、該凹部は樹脂で充填されるのが好ましい。
【００１１】
但し、タグ（６Ａ）として、電池を内蔵しており、当該電池のエネルギーを駆動源とする「アクティブタイプ」のＩＣタグであっても良い。
その様な「アクティブタイプ」のタグ（６Ａ）を用いる場合には、本発明のタンクローリの荷卸しシステムは、タンクローリ（８）に設けられた複数のハッチ（１０）と地下タンク（２：貯油タンク）の給油口（４）とを荷卸しホース（２１）で接続して、ハッチ（１０）内の油を地下タンク（２）へ荷卸しする荷卸しシステムにおいて、前記荷卸しホース（２１）の給油口（４）側の円周方向全域に読取手段（４０：例えば、導電材料製のリング）を設け、該読取手段（４０）は荷卸しホース（２１）のアース線（２４）を介してタンクローリ（８）に設けられた制御装置（１５：車載コンピュータ）に接続可能であり、給油口（４）にはデータ（地下タンク２内の油種等のタンクデータ）を発信する機能を有するタグ（６Ａ：アクティブタイプの発信タグ）を配置し、該タグ（６Ａ）から発信されるデータを読取手段（４０）が受信するのは、荷卸しホース（２１）の端部と給油口（４）とが適正に接続されている状態で読取手段（２５）が位置する範囲に限定されていることを特徴としている（請求項２）。
【００１２】
ここで、前記タグ（６Ａ）は電源（４６：例えば、電池）と、データを発信する発信器（４４）と、スイッチ（４８）とを含んでおり、荷卸しホース（２１）の端部と給油口（４）とが適正に接続されている場合にのみスイッチ（４８）が閉鎖して、発信器（４４）からデータ（Ｄ）を発信する機能を有しているのが好ましい（請求項４）。
【発明の効果】
【００１３】
本発明によれば、読取手段（２５）が給油口（４）側の円周方向全域に設けられているので、給油口（４）の円周方向において、どの位置にタグ（６）があっても、タグ（６）が発信するデータを受信することが出来るので、荷卸しホース（２１）と給油口（４）との端部を接続した際に、円周方向位置について方向性を限定する必要がなく、いわゆる「カップリングの接続の方向性」がなくなる。そのため、荷卸しホース（２１）と給油口（４）との接続における操作性が良くなる。
また、タグ（６、６Ａ）から発信されるデータ（タンクデータ）と、ハッチ（１０）内の油主データとを比較して、両者が一致した場合にのみ荷卸し可能に制御することにより、地下タンク（２）内の油と異なる種類の油を荷卸してしまう事故（いわゆる「コンタミ」）を、確実に防止することが出来る。
そして本発明によれば、タグ（６、６Ａ）から発信されるデータを読取手段（２５）が受信するのは、荷卸しホース（２１）の端部と給油口（４）とが適正に接続された場合に読取手段（２５）が位置する範囲に限定されているので、荷卸しホース（２１）の端部と給油口（４）とが適正に接続されていない場合に荷卸しが行なわれることが防止される。そのため、荷卸しホース（２１）の端部と給油口（４）との接続個所から、油が漏出してしまう事態が防止できる。
【００１４】
ここで、タグ（６）がパッシブタイプであれば（請求項１）、円周方向全域に設けられた読取手段（２５）からタグ（６）に対して、電磁波或いは電波が放射し、その範囲が限定されていれば、荷卸しホース（２１）の端部と給油口（４）とが適正に接続されていない場合には、タグ（６）には電磁波或いは電波が放射されず、タグ（６）からデータは発信されないので、油が漏出してしまう事態が防止できる。
或いは、タグ（６）からは極めて指向性が強い状態でデータが発信され、タグ（６）から発信されるデータの通信距離或いは到達距離が極めて短い距離であるか、或いは、タグ（６）と読取手段（２５）との相対位置関係が限定された範囲内である場合にのみ、タグ（６）から発信されたデータを読取手段（２５）が受信可能である様に構成すれば、荷卸しホース（２１）の端部と給油口（４）とが適正に接続されていない場合に、タグ（６）からデータが発信されてしまったとしても、読取手段（２５）は当該データを受信しないので、油が漏出してしまう事態が防止できる。
【００１５】
また、タグ（６Ａ）がアクティブタイプでも、タグ（６Ａ）から発信されるデータを読取手段（４０）が受信するのは、荷卸しホース（２１）の端部と給油口（４）とが適正に接続されている状態で読取手段（２５）が位置する範囲に限定しているので（請求項２）、荷卸しホース（２１）の端部と給油口（４）とが適正に接続されていない場合に、タグ（６Ａ）からデータが発信されても、読取手段（２５）は当該データを受信出来ず、油が漏出してしまう事態が防止できる。
そして、荷卸しホース（２１）の端部と給油口（４）とが適正に接続されている場合にのみ、タグ（６Ａ）のスイッチ（４８）が閉鎖して、発信器（４４）からデータ（Ｄ）を発信する様に構成すれば（請求項４）、荷卸しホース（２１）の端部と給油口（４）とが適正に接続されていない場合には、タグ（６Ａ）からはデータは発信されないので、油の漏出を確実に防止できる。
【００１６】
さらに本発明において、タグ（６Ａ）がアクティブタイプであれば（請求項２）、荷卸しホース（２１）に配設されているアース線（２４）を介して車載コンピュータ（１５）に接続されているので、荷卸しホース（２１）に別個の信号線を配設する必要がなく、コストの低減が図れる。
そして本発明において、荷卸しホース（２１）と給油口（４）とを接続すれば、タグ（６、６Ａ）と車載コンピュータ（１５）との通信が確保できるので、荷卸し操作をスムーズに行なうことができる。
或いは本発明において、タグ（６、６Ａ）を樹脂でモールディングすれば（請求項３）、耐候性及び耐水性が高められ、給油所のように屋外で設置されても充分な信頼性が確保できる。
【発明を実施するための最良の形態】
【００１７】
以下、添付図面を参照して、本発明の実施形態について説明する。
図１〜図７は、本発明の第１実施形態を示している。
図１は第１実施形態に係るタンクローリの荷卸しシステムを模式的に示している。そして図２には、第１実施形態における要部であって、荷卸しホースに関する部分が示されている。
図１において、給油所１の敷地には複数の貯油タンク２、２・・・が埋設され、各貯油タンク２の給油管３、３・・・の給油口４、４・・・は、給油口ボックス５内にまとめて設けられている。
【００１８】
図３に示すように、各給油口４には発信タグ６が設けられている。発信タグ６は、いわゆる「ＩＣタグ」であり、樹脂により給油口４に埋め込まれている。すなわち、発信タグ６は、給油口４に、いわゆる「モールディング（図３において、樹脂によるモールディングを符号７で示す）」がされており、以って、発信タグ６の耐候性及び耐水性を向上せしめている。
【００１９】
発信タグ６には、給油所名、タンク番号、油種、タンク容量等のタンクデータ等が記憶されている。そして、発信タグ６は、送信要求信号を受信することにより、当該タンクデータを発信するように構成されている。
ここで、発信タグ６としては、電磁波或いは電波を受信すると、当該電磁波或いは電波を駆動電力に変換し、当該変換された電力をタンクデータ発信のエネルギーとする「パッシブタイプ」のＩＣタグを用いることが好ましい（図１〜図７：第１実施形態）。
或いは、電池を内蔵しており、当該電池のエネルギーを駆動源とする「アクティブタイプ」のＩＣタグであっても良い（図８：第２実施形態）。
「パッシブタイプ」であれば、駆動源である電池を交換する必要性がないという利点がある。一方、「アクティブタイプ」であれば、受信側に電磁波或いは電波を放射するシステムを設ける必要がないという利点がある。
図１〜図７で示す第１実施形態では、発信タグ６として「パッシブタイプ」のＩＣタグを使用している。
【００２０】
発信タグ６として「パッシブタイプ」が用いられる場合に、当該発信タグ６からタンクデータを発信するに当該発信タグ６に対して放射されるのは、放射される範囲が比較的広い電波よりも、放射される範囲が限定される磁束や電磁波の方が好ましい。そのため、第１実施形態では、アンテナ２５から磁束が放射されている。
なお、図示の実施形態（第１実施形態と第２実施形態）において、発信タグ６から発信されるタンクデータの通信距離或いは到達距離が極めて短い距離に設定されている。
【００２１】
図１〜図７の第１実施形態において、アンテナ２５から発信タグ６に対しては放射されるのが磁束であり、且つ、発信タグ６から発信されるタンクデータの通信距離或いは到達距離は、例えば３ｍｍ程度の極めて短い距離に設定されていれば、詳細は後述するが、荷卸しホース２１と給油口４との接続が適正な状態ではなくなった場合に（図６参照）、発信タグ６からタンクデータが送信されなくなり、当該タンクデータが給油口４側で受信できない状態となる。
【００２２】
再び図１において、タンクローリ８のタンク９は複数のハッチ１０、１０・・・に区画されている。
各ハッチ１０は、各底弁１１、１１・・・を介して吐出管１２に接続され、吐出管１２の先端には吐出口１３が設けられている。
運転室１４内に設けられている車載コンピュータ１５には、キーボード１６及び報知器１７等が設けられ、車載コンピュータ１５は信号線１８により吐出管１２に接続されている。
【００２３】
図１において、符号１９はタンクローリ８のアース線を示している。このアース線１９は、静電気による不都合を防止するため、給油所１のアース端子２０に接続して、静電気を逃がしている。
【００２４】
タンク９の吐出口１３と、貯油タンク２の給油口４は、荷卸しホース２１により連結される。
図２で示すように、荷卸しホース２１の一端にはカップリング２２が設けられ、カップリング２２が吐出口１３に接続される。一方、荷卸しホース２１の他端にはカップリング２３が設けられ、カップリング２３が給油口４に接続される。
カップリング２２、２３は、荷卸しホース２１に配設されたアース線２４により接続されている。なお、カップリング２２、２３を、荷卸しホース２１の外部に設けられた信号線（図示せず）により接続しても良い。
【００２５】
より詳細には、カップリング２３には円環状のアンテナ２５が設けられている。アンテナ２５は、図示しない信号線により、カップリング２３近傍に設けられた送受信器２６に接続されている。そして送受信器２６は、上述したように、アース線２４を介して、カップリング２３に接続されている。
すなわち、送受信器２６は、カップリング２３、アース線２４（或いは、図示しない信号線）、カップリング２２、吐出口１３、吐出管１２、信号線１８（図１参照）を介して、車載コンピュータ１５（図１参照）に接続されている。
【００２６】
図２において、アンテナ２５を円環状に形成してカップリング２３に設けたので、給油口４における発信タグ６の円周方向位置の如何に拘らず、カップリング２３が給油口４に適正に係合していれば、アンテナ２５からの磁束（図７における符号Φ）が確実に発信タグ６に放射され、発信タグ６において駆動電流に変換される。その結果、発信タグ６からタンクデータが確実にアンテナ２５へ送信される。
一方、アンテナ２５を円環状に形成されているので、発信タグ６の円周方向位置の如何に拘らず、発信タグ６から発信されたタンクデータは、アンテナ２５によって確実に受信される。
【００２７】
換言すれば、給油口４の円周方向について、発信タグ６をどの様に設置しても、カップリング２３が給油口４に適正に係合していれば、円環状のアンテナ２５からの磁束が発信タグ６に放射され、発信タグ６からのタンクデータがアンテナ２５により受信されるので、カップリング２３側と給油口４側とで確実に信号の授受が行なわれる。
その結果、図４を参照して後述するように、カップリング２３が給油口４から外れてしまった場合には、その旨は、カップリング２３側と給油口４側とで信号の授受が中断してしまったことにより、確実に検知される。
【００２８】
また、送受信器２６と車載コンピュータ１５との接続はアース線２４を使用したので、発信タグ６からのタンクデータを伝達するラインを別個設ける必要がなくなり、その分だけ、製造コストを低下することができる。さらに、別個の信号線の接続作業がいらないので荷卸し作業をスムーズに行なうことができる。
さらに、複数本の荷卸しホース２１を接続して荷卸しをする場合でも、荷卸しホース２１を接続するだけで送受信器２６と車載コンピュータ１５との通信が確保できるようになる。
なお、上述したように、荷卸しホース２１の外部に設けられた信号線により、送受信器２６と車載コンピュータ１５との接続を行なうことも出来る。
【００２９】
明確には図示されていないが、発信タグ６からのタンクデータを用いて判定するに際しては、アンテナ２５から磁束を放射するための電流を、アース線２４或いは図示しない信号線を介して、図示しない電源からアンテナ２５に供給している。
【００３０】
図１〜図３において、車載コンピュータ１５からのタンクデータを受信するべき旨の信号が出力されると、図示しない電源から、アース線２４或いは図示しない信号線を介して、アンテナ２５に駆動電流が供給される。そして、アンテナ２５から磁束が放射される。
図７を参照して後述するように、アンテナ２５と発信タグ６との相対位置が適正であれば、アンテナ２５から放射された磁束が発信タグ６を通過し、発信タグ６内で電流が発生し、発信タグ６に記録されたタンクデータが発信される。
発信タグ６から発信されたタンクデータは、アンテナ２５を介して送受信器２６で受信される。そして、カップリング２３、アース線２４、カップリング２２、吐出口１３、吐出管１２、信号線１８を介して、当該タンクデータが車載コンピュータ１５に入力される様に構成されている。
【００３１】
次に、主として図４を参照して、第１実施形態に係るタンクローリの荷卸しシステムにおける荷卸しの態様を説明する。
荷卸しを行う前段階として、図示しない油槽所において、給油所からの注文に基づいて、タンクローリ８の各ハッチ１０に所望の油種を所定量だけ荷積みする。荷積みされた油種に関するデータ（積荷データ）は車載コンピュータ１５に記憶される。そして、例えば図５に示すように、積荷データを印字した配送伝票２７がタンクローリ８の運転者へ渡され、荷卸しをするべき給油所１へ向けて出車する。
【００３２】
荷卸しに際しては、荷卸しを行なうべき給油所１において、タンクローリ８の運転者は、アース線１９をアース端子２０に接続し、静電気を確実に除去せしめる。
次に、吐出口１３に荷卸しホース２１の一方のカップリング２２を接続する。そして、配送伝票２７に基づいて、荷卸しホース２１の他方のカップリング２３を所定の貯油タンク２の給油口４へ接続する。
【００３３】
次に、車載コンピュータ１５のキーボード１６から荷卸し信号を入力すると（ステップＳＴ１がＹＥＳ）、車載コンピュータ１５から授受信号が出力され、上述した様に、アンテナ２５から磁束が放射されて発信タグ６を通過し、発信タグ６内で駆動電流を発生する。そして、発信タグ６からタンクデータが出力される（ステップＳＴ２）。発信されたタンクデータは、アンテナ２５で受信され、送受信器２６を介して車載コンピュータ１５へ送られる。
ステップＳＴ３では、タンクデータが車載コンピュータ１５に入力されたか否かを判断する。
【００３４】
タンクデータが車載コンピュータ１５に入力されたならば（ステップＳＴ３がＹＥＳ）、当該タンクデータと、車載コンピュータ１５に記録されている積荷データとを比較する（ステップＳＴ４）。
タンクデータと積荷データとが一致していれば（ステップＳＴ４がＹＥＳ）、車載コンピュータ１５から制御信号を発信して、ハッチ１０の底弁１１を開き、荷卸しが開始される（ステップＳＴ５）。
荷卸しに際しては、ハッチ１０内の油は底弁１１、吐出管１２、吐出口１３、カップリング２２、荷卸しホース２１、カップリング２３、給油口４、給油管３を介して、貯油タンク２内へ流入（供給）される。
【００３５】
ステップＳＴ６では、荷卸しが終了したか否かを判断する。
荷卸しが終了し、車載コンピュータ１５のキーボード１６から荷降終了信号が入力されると（ステップＳＴ６がＹＥＳ）、底弁１１が閉じる（ステップＳＴ７）。
そして、当該給油所１の積荷データにおける全ての荷卸しが終了しているか否かを判断する（ステップＳＴ８）。
当該給油所１の積荷データにおける全ての荷卸しが終了している場合には（ステップＳＴ８がＹＥＳ）、報知器１７から当該給油所における荷卸し作業が全て終了した旨が、作業員に対して報知され（ステップＳＴ９）、制御が終了する。
【００３６】
ステップＳＴ４において、タンクデータと積荷データが一致していないと（ステップＳＴ４がＮＯ）、ハッチ１０の底弁１１は閉鎖された状態を保持すると共に、報知器１７を作動して、ハッチ１０内の油種と貯油タンク２内の油種とが相違している旨が報知される（ステップＳＴ１０）。係る報知により、荷卸しにおける誤作業によって、油種が異なる油が貯油タンク２内に流入してしまう事故（いわゆる「コンタミ」）を防止することができる。
【００３７】
ここで、ステップＳＴ４において「ＮＯ」と判断されるのは、タンクデータと積荷データが一致していない場合のみならず、給油口４とカップリング２３とが適正に接続（例えばラッチ係合）されていない場合も含まれる。
ステップＳＴ６、ＳＴ７で詳述するが、給油口４とカップリング２３とが適正に接続されていないと、例えば図６で示すような状態であると、発信タグ６からタンクデータは発信されず、送受信器２６はタンクデータを受信しない。そのため車載コンピュータ１５は、「タンクデータと積荷データが一致した」と判断することはなく、ステップＳＴ４は「ＮＯ」であると判定する。
【００３８】
荷卸しの最中、すなわちステップＳＴ６がＮＯのループでは、ステップＳＴ１１において、送受信器２６が発信タグ６の信号を受信しているか否かを常時判断している。
送受信器２６が発信タグ６の信号（タンクデータ）を受信している場合には（ステップＳＴ１１がＹＥＳ）、給油口４とカップリング２３との接続には問題はないので、ステップＳＴ６に戻る。
一方、送受信器２６が発信タグ６の信号を受信せず、車載コンピュータ１５へ送られなくなった場合には（受信不可：ステップＳＴ１１がＮＯ）、給油口４とカップリング２３との接続に問題が発生したと判断し、底弁１１を閉鎖して、報知器１７を作動する（ステップＳＴ１２）。
【００３９】
荷卸し中に発信タグ６の信号が受信できなくなった場合とは、図６に示すように、給油口４とカップリング２３との接続（ラッチ係合）が不完全となり、いわゆる「外れかけた」状態である。
図６で示すような「外れかけた」状態となり、アンテナ２５と発信タグ６との相対位置関係が変化して（例えば、所定距離以上離れ）、磁束が発信タグ６を通過しなくなると、給油口４側とカップリング２３側との信号の授受が中断する。係る（信号授受の）中断が生じると、給油口４側とカップリング２３側と接合箇所から油が流出してしまう恐れがあるので、直ちに底弁１１を閉鎖して、荷卸しを停止する。その結果、油の流出を防止し、当該流出に基づく危険に対処することができる。
【００４０】
図１〜図７の第１実施形態では、発信タグ６から発信されるタンクデータの通信距離或いは到達距離は極めて短い距離（例えば３ｍｍ程度）に設定されている。
第１実施形態のように発信タグ６が「パッシブタイプ」である場合には、図７で示すように、カップリング２３のアンテナ２５からの磁束Φが発信タグ６を通過することにより、発信タグ６内に電流が生じ、当該電流を駆動源として発信タグ６からタンクデータが出力される。
ここで、放射された磁束Φの範囲は発散するものではなく、カップリング２３のアンテナ２５からの磁束Φが発信タグ６を通過するのは、発信タグ６とアンテナ２５との相対位置関係が、限定された範囲の場合に限られる。
【００４１】
図６で示すように、給油口４とカップリング２３との接続が不十分で「外れかけた」状態になり、アンテナ２５が発信タグ６の通信距離以上に離れると、発信タグ６とアンテナ２５との相対位置関係が、上述した「限定された範囲」から外れてしまい、アンテナ２５からの磁束Φ（図７参照）は発信タグ６を通過せず、発信タグ６からタンクデータを発信する駆動電流は発生しない。
その結果、発信タグ６からタンクデータが発信されず、給油口４側とカップリング２３側との信号の授受が中断した「信号授受の中断」が生じてしまう。その結果、直ちにステップＳＴ１１で「ＮＯ」と判定され、底弁１１が閉じられ、報知器１７が作動して、給油作業を行なっているスタッフに、給油口４とカップリング２３との接続が不完全になった旨が報知される（ステップＳＴ１２）のである。
【００４２】
換言すれば、図６、図７を参照して説明した上述の記載において、発信タグ６から発信されるタンクデータの通信距離或いは到達距離について、「極めて短い距離」とは、給油口４とカップリング２３とが適正に接続（例えばラッチ係合）されていれば磁束Φは発信タグ６を通過するが、給油口４とカップリング２３とが適正に接続（例えばラッチ係合）されておらず（或いは、適正な接続が何かの拍子に不適正となり）、いわゆる「外れかけた」状態となった際には、磁束Φは発信タグ６を通過しないような距離を意味している。
同様に、発信タグ６とアンテナ２５との相対位置関係において、「限定された範囲」とは、給油口４とカップリング２３とが適正に接続（例えばラッチ係合）されていれば磁束Φは発信タグ６を通過するが、給油口４とカップリング２３とが不適正に接続（例えばラッチ係合）されており（或いは、何かの拍子に不適正な接続となってしまい）、いわゆる「外れかけた」状態となった際には、磁束Φは発信タグ６を通過しないような範囲、或いは相対位置関係、を意味している。
【００４３】
ステップＳＴ８において、積荷データの全ての荷卸しが終了していない場合は（ステップＳＴ８がＮＯ）、報知器１７を作動して、積荷データの内の単一の荷卸しについては終了したが、当該給油所１における荷降作業は終了していないことを報知する（ステップＳＴ１３）。
ステップＳＴ１３に係る報知により、タンクローリ８の運転者或いは荷卸し作業の作業員は、荷卸しホース２１のカップリング２３を別の給油口４に付け替え、車載コンピュータ１５のキーボード１６から荷卸し信号を入力し、再びステップＳＴ１以下を繰り返すことになる。
【００４４】
上述した通り、図１〜図７を参照して説明した第１実施形態では、パッシブタイプの発信タグ６を用いている。
それに対して、図８〜図１１で示す第２実施形態では、発信タグとして、アクティブタイプのタグ６Ａを用いている。
図８の第２実施形態においても、アクティブタイプの発信タグ６Ａから発信されるタンクデータの通信距離或いは到達距離は、極めて短い距離（例えば３ｍｍ）に設定されている。そのため、アクティブタイプの発信タグ６Ａから発信されるタンクデータは、発信タグ６Ａと後述する金属（導電材料）製リング４０とが所定の相対位置関係にある場合にのみ、リング４０により受信される。
【００４５】
図８において、荷卸しホース２１の給油口４側の端部（図８では左方端部）２１Ｅには、段部３８が設けられている。そして、段部３８には絶縁材３９が被覆されており、絶縁材で被覆された部分に隣接して、金属製リング４０が配置されている。
給油口４と荷卸しホース２１とが、例えばラッチ（明確には図示せず）等によって適正に接続されると、給油口４の端部４Ｅは絶縁材３９と接触し、リング４０とは接触しない。換言すれば、給油口４と荷卸しホース２１とが適正に接続された際に、給油口４とリング４０とは、直接接触することはない。
【００４６】
金属製リング４０には、荷卸しホース２１に内蔵されたアース線２４が接続している。
アース線２４は、荷卸しホース２１のタンクローリ８側端部（図８では右端）近傍に設けられた電極２５に接続されている。
電極２５は、タグ６Ａから発信され、アース線２４を介して伝達されたタンクデータを、電気信号に変換する機能を有している。
【００４７】
電極２５でタンクデータから変換された電気信号は、信号伝達ラインＣＬ１、荷卸しホース２１側のカップリング２１Ｃ、吐出管１３側のカップリング１３Ｃ、信号伝達ラインＣＬ２を介して、コントローラ４２に伝達される。
上述したように、タンクローリ８のタンク９は複数のハッチ１０、１０・・・を有し、各ハッチ１０は底弁１１を介して吐出管１２に接続され、吐出管１２の先端には吐出口１３が設けられている。コントローラ４２は係る吐出口１３に設けられている。すなわち、電極２５は荷卸しホース２１に設けられているが、コントローラ４２は、タンクローラ８側に設けられている。
【００４８】
コントローラ４２は、電極２５からの電気信号（電極２５でタンクデータから変換された電気信号）を、タンクローリ８の車載コンピュータ１５で処理可能なデータ形式に変換する機能を有している。
コントローラ４２で変換されたデータは、信号伝達ラインＣＬ３を介して、車載コンピュータ１５に送られる。
【００４９】
図９で示すように、タグ６Ａは、タンクデータＤを発信する発信器４４と、電源である電池４６と、スイッチ４８とから成る回路を構成している。
図１０、図１１を参照して後述するが、スイッチ４８は常開であるが、荷卸しホース２１と給油口４とが適正に接続されている場合にのみ閉じる様に構成されている。そして、スイッチ４８が閉じると、発信器４４からデータＤを発信する。
【００５０】
図８、図９で示す第２実施形態では、リング４０は荷卸しホース２１の円周方向全域に亘っているので、タグ６Ａとアース線２４の円周方向における相対的位置が異なったとしても、金属製リング４０とタグ６Ａとの円周方向位置は常に同一であり、発信タグ６Ａからのタンクデータは、確実にアース線２４を介して電極２５へ伝達される。
【００５１】
荷卸しホース２１の長手方向におけるタグ６Ａ及びリング４０の位置は、荷卸しホース２１と給油口４とが適正に接続されている場合には、概略同一となる。
そして、タグ６Ａから送信されるデータＤの通信距離或いは到達距離は、極めて短い距離、例えば３ｍｍ程度である。
従って、荷卸しホース２１と給油口４とが適正に接続されており、タグ６Ａ及びリング４０の荷卸しホース２１の長手方向における位置が同一になっていないと、タグ６Ａから発信されるタンクデータは、リング４０まで到達しない。
【００５２】
例えば図６で示すように、給油口４とカップリング２３との接続が不十分で「外れかけた」状態になり、リング４０が発信タグ６Ａの通信距離以上に離れると、発信タグ６からのタンクデータＤは、リング４０まで到達しないのである。
その結果、発信タグ６Ａからタンクデータが発信されず、車載コンピュータ１５は、給油口４側と荷卸しホース２１との信号の授受が中断した（「信号授受の中断」が生じた）と判断して、ハッチ１０の底弁１１が閉じられ、報知器１７（図１参照）が作動する。
【００５３】
ここで、タグ６Ａから送信されるデータＤの通信距離或いは到達距離が「極めて短い」とは、給油口４とカップリング２３とが適正に接続（例えばラッチ係合）されていれば、データＤはリング４０まで到達するが、給油口４とカップリング２３とが適正に接続（例えばラッチ係合）されていければ（或いは、何かの拍子に、接続状態が不適正となったならば）、タンクデータはリング４０まで到達しない様な距離（例えば、３ｍｍ）を意味している。
【００５４】
発信タグ６Ａが、いわゆる「アクティブタイプ」であるので、図１〜図７の第１実施形態とは異なり、タグ６Ａに電磁波或いは電波を放射するシステムは不要であり、アンテナ２５及びアンテナ２５への電流供給系統を設ける必要がなくなる。
また、図８で示すように、荷卸しホース２１のアース線２４を介して、タグ６Ａから発信されたタンクデータを車載コンピュータ１５まで伝達することが出来るので、図１〜図７で示すように、ホース２１に信号伝達系を別途設ける必要はない。
【００５５】
上述の構成に加えて、第２実施形態では、給油口４と荷卸しホース２１との接続が不適正な状態、すなわち「外れかけた」状態であると、発信タグ６ＡからタンクデータＤを発信しなくなる様に構成されている。
図９〜図１１を参照して、係る構成について説明する。
【００５６】
図９で説明した様に、スイッチ４８は常開であり、スイッチ４８が閉じているときだけタンクデータＤが発信される。
図１０、図１１において、タグ６Ａは、回動部材５０を有しており、回動部材５０は軸支部５１を中心に回動自在に構成されており、その先端には導電性部材から成る当接部５２が設けられている。
この当接部５２は、導電性部材から成る接点５４と接触可能に構成されている。
明確には図示されていないが、例えば、軸支部５１には図示しない弾性手段が設けられており、回動部材５０は、通常の状態では、図１０で示すように、接点５４から離隔するように付勢されている。また、接点５４は樹脂モールドされていることが好ましい。
【００５７】
図１０で示すように、通常の状態では、接続に際しては、給油口４内に荷卸しホース２１の先端２１Ｅが、図１０の矢印Ａ方向に挿入される。
荷卸しホース２１が適正な状態で挿入されると、端部２１Ｅが回動部材５０先端の当接部５２と接触して、回動部材５０は軸支部５１を中心に時計方向へ回動する。そして、図１１で示すように、当接部材５２は接点５４と接触する。
図９で示すスイッチ４８は、図１１で示すように当接部材５２と接点５４とが接触した際に、閉じるように構成されている。
すなわち、給油口４と荷卸しホース２１との接続が適正であれば、図１１で示すように、当接部材５２と接点５４とが接触し、スイッチ４８は閉じて、発信器４４が作動して、タンクデータＤを発信する。
【００５８】
ここで、給油口４内に荷卸しホース２１が十分に挿入されず、接続が不適正な場合には、回動部材５０は接点５４から離隔するように付勢されているので、図１０で示すように当接部材５２と接点５４とは接触せず、スイッチ４８は開いた状態を維持するので、発信器４４は作動せず、タンクデータＤは発信されない。
また、何らかの理由により、給油口４と荷卸しホース２１が適正に接続されている状態から、図６で示す様な不適正な接続状態になると、回動部材５０は接点５４から離隔するように付勢されているので、当接部材５２と接点５４とが接触した状態（図１１）から、当接部材５２と接点５４とが接触していない状態（図１０）に移行する。その結果、スイッチ４８が開き、発信器４４は作動停止となり、タンクデータＤの発信も中止される。
何れの場合においても、車載コンピュータ１５は、給油口４側と荷卸しホース２１との信号の授受が中断した（「信号授受の中断」が生じた）と判断し、ハッチ１０の底弁１１を閉じ、報知器１７（図１参照）を作動する。
【００５９】
図８〜図１１の第２実施形態における上述以外の構成及び作用効果は、図１〜図７の第１実施形態と同様である。
【００６０】
図示の実施形態によれば、異なる油種が貯油タンク２内に流入されてしまう恐れは完全に防止される。
また、給油口４と荷卸しホース２１との接続が適正に行なわれないことや、適正に接続された給油口４と荷卸しホース２１が、荷卸し中に接続が不適正な状態になってしまうことに起因して、給油口４と荷卸しホース２１との接続個所から油が漏出してしまうことが完全に防止される。
さらに、当該給油所における全ての荷卸し作業が終了したか否かも報知することが出来る。
そのため、荷卸し作業の操作性及び安全性が向上する。
【００６１】
図示の実施形態はあくまでも例示であり、本発明の技術的範囲を限定する趣旨の記述ではない旨を付記する。
【図面の簡単な説明】
【００６２】
【図１】本発明の第１実施形態を示す模式図。
【図２】第１実施形態における荷卸しホース部分の一部破断部分拡大図。
【図３】第１実施形態における給油口の断面図。
【図４】第１実施形態における制御を示すフローチャート。
【図５】配送伝票を示す図。
【図６】給油口とカップリングとが不適正に接続された状態を示す斜視図。
【図７】カップリングのアンテナから放射される磁束が発信タグを通過する状態を模式的に示す図。
【図８】本発明の第２実施形態における荷卸しホース部分の一部破断部分拡大図。
【図９】第２実施形態で用いられるタグの構成を示す回路図。
【図１０】第２実施形態において、給油口と荷卸しホースとが適正に接続されていない状態を示す断面図。
【図１１】第２実施形態において、給油口と荷卸しホースとが適正に接続された状態を示す断面図。
【符号の説明】
【００６３】
１・・・給油所
２・・・貯油タンク
３・・・給油管
４・・・給油口
５・・・給油口ボックス
６、６Ａ・・・発信タグ
７・・・モールディング
８・・・タンクローリ
９・・・タンク
１０・・・ハッチ
１１・・・底弁
１２・・・吐出管
１３・・・吐出口
１４・・・運転室
１５・・・車載コンピュータ
１６・・・キーボード
１７・・・報知器
１８・・・信号線
１９・・・アース線
２０・・・アース端子
２１・・・荷卸しホース
２２、２３・・・カップリング
２４・・・アース線
２５・・・アンテナ
２６・・・送受信器
２７・・・配送伝票
Φ・・・磁束
４０・・・リング
【図１】
2010105708.tif 000003
【図２】
2010105708.tif 000004
【図３】
2010105708.tif 000005
【図４】
2010105708.tif 000006
【図５】
2010105708.tif 000007
【図６】
2010105708.tif 000008
【図７】
2010105708.tif 000009
【図８】
2010105708.tif 000010
【図９】
2010105708.tif 000011
【図１０】
2010105708.tif 000012
【図１１】
2010105708.tif 000013